(57)【要約】【課題】１０進ロード即値命令のためのコンピュータ・プログラム、コンピュータ・システムおよびコンピュータ実装方法を提供する。【解決手段】命令は、コンピューティング環境内での処理において使用する値を生成する。命令は、命令に関連付けられた符号制御を取得し、命令の入力値を指定された方向に選択された量だけシフトして結果を提供する。結果は、レジスタ内の第１の指示された場所に入れられ、符号制御に基づく符号がレジスタの第２の指示された場所に入れられる。結果と符号とは、コンピューティング環境内での処理において使用される符号付き値を提供する。【選択図】図７
2019530093.tif 000002
【特許請求の範囲】
【請求項１】
コンピューティング環境内での処理を容易にするためのコンピュータ・プログラム製品であって、
処理回路によって読み取り可能なコンピュータ可読記憶媒体であり、方法を実行するための前記処理回路による実行のための命令を記憶する前記コンピュータ可読記憶媒体を含み、前記方法は、
前記コンピューティング環境内での処理において使用するための値を生成する命令であり、前記命令によって生成される前記値の符号を与えるために使用される関連付けられた符号制御を有する、前記命令を、実行のために取得することと、
前記命令を実行することと、を含み、前記実行は、
前記符号制御を取得することと、
前記命令によって提供された入力値を指定された方向に選択された量だけシフトして結果を提供することと、
レジスタ内の第１の指示された場所に前記結果を入れることと、
前記符号制御に基づいて、前記符号を前記レジスタの第２の指示された場所に含めることと、を含み、前記結果と前記符号とは、前記コンピューティング環境内での処理において使用される符号付き値を提供する、コンピュータ・プログラム製品。
【請求項２】
前記符号制御を取得することは、前記命令のフィールドから前記符号制御を取得することを含み、前記符号制御が第１の値であることに基づいて前記符号は正であり、前記符号制御が第２の値であることに基づいて前記符号は負である、請求項１に記載のコンピュータ・プログラム製品。
【請求項３】
前記実行は、
前記命令のフィールドから前記入力値を取得することと、
前記入力値の妥当性を検証することと、
前記検証が前記入力値が有効であることを示すことに基づいて前記シフトを実行することと
をさらに含む、請求項１に記載のコンピュータ・プログラム製品。
【請求項４】
前記指定された方向は左である、請求項１に記載のコンピュータ・プログラム製品。
【請求項５】
前記実行は、前記命令のフィールドから前記選択された量を取得することをさらに含む、請求項１に記載のコンピュータ・プログラム製品。
【請求項６】
前記第１の指示された場所は、前記レジスタ内の符号付きパック１０進形式の絶対値の場所である、請求項１に記載のコンピュータ・プログラム製品。
【請求項７】
前記レジスタは前記命令の少なくとも１つのフィールドを使用して指定される、請求項１に記載のコンピュータ・プログラム製品。
【請求項８】
前記少なくとも１つのフィールドは、レジスタ番号を指定するレジスタ・フィールドと、前記レジスタ番号に付加される拡張値を指定する拡張フィールドとを含む、請求項７に記載のコンピュータ・プログラム製品。
【請求項９】
前記結果を入れることは、前記レジスタの第３の指示された場所にゼロを入れることをさらに含む、請求項１に記載のコンピュータ・プログラム製品。
【請求項１０】
前記第３の指示された場所は、前記レジスタの１つまたは複数の左端位置を含む、請求項９に記載のコンピュータ・プログラム製品。
【請求項１１】
コンピューティング環境内での処理を容易にするためのコンピュータ・システムであって、
メモリと、
前記メモリと通信するプロセッサと、を含み、前記コンピュータ・システムは、方法を実行するように構成されており、前記方法は、
前記コンピューティング環境内での処理において使用するための値を生成する命令であり、前記命令によって生成される前記値の符号を与えるために使用される関連付けられた符号制御を有する、前記命令を、実行のために取得することと、
前記命令を実行することと、を含み、前記実行は、
前記符号制御を取得することと、
前記命令によって提供された入力値を指定された方向に選択された量だけシフトして結果を提供することと、
レジスタ内の第１の指示された場所に前記結果を入れることと、
前記符号制御に基づいて、前記符号を前記レジスタの第２の指示された場所に含めることと、を含み、前記結果と前記符号とは、前記コンピューティング環境内での処理において使用される符号付き値を提供する、コンピュータ・システム。
【請求項１２】
前記符号制御を取得することは、前記命令のフィールドから前記符号制御を取得することを含み、前記符号制御が第１の値であることに基づいて前記符号は正であり、前記符号制御が第２の値であることに基づいて前記符号は負であり、前記レジスタは、前記命令の少なくとも１つのフィールドを使用して指定され、前記指定された方向は左であり、前記実行は、前記命令のフィールドから前記選択された量を取得することをさらに含む、請求項１１に記載のコンピュータ・システム。
【請求項１３】
前記実行は、
前記命令のフィールドから前記入力値を取得することと、
前記入力値の妥当性を検証することと、
前記検証が前記入力値が有効であることを示すことに基づいて前記シフトを実行することと
をさらに含む、請求項１１に記載のコンピュータ・システム。
【請求項１４】
前記第１の指示された場所は、前記レジスタ内の符号付きパック１０進形式の絶対値の場所である、請求項１１に記載のコンピュータ・システム。
【請求項１５】
前記結果を入れることは、前記レジスタの第３の指示された場所にゼロを入れることをさらに含む、請求項１１に記載のコンピュータ・システム。
【請求項１６】
コンピューティング環境内での処理を容易にするためのコンピュータ実装方法であって、
前記コンピューティング環境内での処理において使用するための値を生成する命令であり、前記命令によって生成される前記値の符号を与えるために使用される関連付けられた符号制御を有する、前記命令を、実行のためにプロセッサによって取得することと、
前記命令を実行することと、を含み、前記実行は、
前記符号制御を取得することと、
前記命令によって提供された入力値を指定された方向に選択された量だけシフトして結果を提供することと、
レジスタ内の第１の指示された場所に前記結果を入れることと、
前記符号制御に基づいて、前記符号を前記レジスタの第２の指示された場所に含めることと、を含み、前記結果と前記符号とは、前記コンピューティング環境内での処理において使用される符号付き値を提供する、コンピュータ実装方法。
【請求項１７】
前記符号制御を取得することは、前記命令のフィールドから前記符号制御を取得することを含み、前記符号制御が第１の値であることに基づいて前記符号は正であり、前記符号制御が第２の値であることに基づいて前記符号は負であり、前記レジスタは、前記命令の少なくとも１つのフィールドを使用して指定され、前記指定された方向は左であり、前記実行は、前記命令のフィールドから前記選択された量を取得することをさらに含む、請求項１６に記載のコンピュータ実装方法。
【請求項１８】
前記実行は、
前記命令のフィールドから前記入力値を取得することと、
前記入力値の妥当性を検証することと、
前記検証が前記入力値が有効であることを示すことに基づいて前記シフトを実行することと
をさらに含む、請求項１６に記載のコンピュータ実装方法。
【請求項１９】
前記第１の指示された場所は、前記レジスタ内の符号付きパック１０進形式の絶対値の場所である、請求項１６に記載のコンピュータ実装方法。
【請求項２０】
前記結果を入れることは、前記レジスタの第３の指示された場所にゼロを入れることをさらに含む、請求項１６に記載のコンピュータ実装方法。
【発明の詳細な説明】
【技術分野】
【０００１】
１つまたは複数の態様は、一般には、コンピューティング環境内での処理に関し、詳細には、そのような処理を向上させることに関する。
【背景技術】
【０００２】
コンピューティング環境のプロセッサ内で実行されるアプリケーションは、プロセッサの動作を制御する。アプリケーションは、プロセッサに命令を伝達するように設計されたプログラミング言語を使用して作成される。
【０００３】
様々な種類のプログラミング言語があり、各言語は１つまたは複数の種類のエンコードを使用してデータを表す。例えばＣＯＢＯＬおよびＰＬ／Ｉプログラミング言語は、１０進数をエンコードするために２進化１０進数（ＢＣＤ）を使用する。ＢＣＤエンコードでは、各１０進数が一例では４ビットなどの固定ビット数で表される。
【０００４】
１０進数は、最大３１桁と符号桁とを含むことができる。これにより、メモリにおいて１６バイトの値を表す。多くの計算は、小さな定数を使用して行われる。定数をレジスタにロードする場合、定数はメモリからロードされる。このため、命令レイテンシが発生し、メモリ帯域幅が使用され、バイナリ実行ファイル内のデータ・サイズが大きくなる。
【先行技術文献】
【非特許文献】
【０００５】
【非特許文献１】"z/Architecture Principles of Operation," IBM Publication No. SA22-7832-10, March 2015
【非特許文献２】"Power ISA（TM） Version 2.07B," International Business Machines Corporation, April 9, 2015
【発明の概要】
【発明が解決しようとする課題】
【０００６】
１０進ロード即値命令のためのコンピュータ・プログラム等を提供する。
【課題を解決するための手段】
【０００７】
コンピューティング環境における処理を容易にするためのコンピュータ・プログラム製品の提供により、従来技術の欠点が克服され、追加の利点がもたらされる。コンピュータ・プログラム製品は、処理回路によって読み取り可能な記憶媒体であり、方法を実行するために処理回路による実行のための命令を記憶する記憶媒体を含む。この方法は、例えば、コンピューティング環境内での処理において使用するための値を生成する命令を実行のために取得することを含み、命令は、この命令によって生成される値の符号を与えるために使用される関連付けられた符号制御を有する。命令は実行され、実行は、符号制御を取得することと、命令によって与えられた入力値を指定された方向に選択された量だけシフトして結果を提供することと、レジスタ内の第１の指示された場所に結果を入れることと、符号制御に基づいて符号をレジスタの第２の指定された場所に含めることと、を含み、結果と符号とはコンピューティング環境内での処理において使用される符号付き値を提供する。
【０００８】
定数などの値を生成する命令を使用して、メモリから値をロードすることなく値が生成される。したがって、コンピューティング環境内での処理が容易になり、パフォーマンスが改良される。命令レイテンシが低減され、メモリ帯域幅の使用が少なくなり、またはバイナリ実行ファイル内のデータ・サイズが縮小され、あるいはこれらの組合せが実現される。
【０００９】
一実施形態では、符号制御の取得は、命令のフィールドから符号制御を取得することを含み、符号制御が第１の値であることに基づいて前記符号は正であり、前記符号制御が第２の値であることに基づいて前記符号は負である。
【００１０】
他の実施形態として、実行は、命令のフィールドから入力値を取得することと、入力値の妥当性を検証することと、検証が入力値が有効であることを示すことに基づいて、シフトを実行することとを含む。
【００１１】
また、一実施形態では、実行は、命令のフィールドから選択された量を取得することを含む。
【００１２】
一例では、指定された方向は左である。さらに、第１の指示された場所はレジスタ内の符号付きパック１０進形式の絶対値の場所である。
【００１３】
さらに、レジスタは命令の少なくとも１つのフィールドを使用して指定され得る。一例として、少なくとも１つのフィールドは、レジスタ番号を指定するレジスタ・フィールドと、レジスタ番号に付加される拡張値を指定する拡張フィールドを含む。
【００１４】
一実施形態として、結果を入れることは、レジスタの第３の指示された場所にゼロを入れることをさらに含む。第３の指示された場所は、例えばレジスタの１つまたは複数の左端位置を含む。
【００１５】
１つまたは複数の態様に関連する方法およびシステムについても本明細書で説明され、特許請求される。また、１つまたは複数の態様に関連するサービスについても本明細書で説明され、特許請求され得る。
【００１６】
その他の特徴および利点も、本明細書に記載の技術によって実現される。その他の実施形態および態様についても本明細書で詳細に説明され、特許請求される態様の一部とみなされる。
【００１７】
以下、本発明の好ましい実施形態を、例示のみを目的として、以下の図面を参照しながら開示する。
【図面の簡単な説明】
【００１８】
【図１】本発明の１つまたは複数の実施形態を組み込み、使用するコンピューティング環境の一例を示す図である。
【図２】本発明の一実施形態による、図１のプロセッサをさらに詳細に示す図である。
【図３】本発明の１つまたは複数の実施形態を組み込み、使用するコンピューティング環境の別の例を示す図である。
【図４】本発明の一実施形態による、図３のメモリをさらに詳細に示す図である。
【図５】本発明の一実施形態による、ベクトル・ロード即値１０進命令の一例を示す図である。
【図６】本発明の一実施形態による、図５のベクトル・ロード即値１０進命令の即値フィールドの制御を示す図である。
【図７】本発明の一実施形態による、ベクトル・ロード即値１０進命令の実行のブロック図の一例を示す図である。
【図８】本発明の一実施形態による、ベクトル・ロード即値１０進命令に付随する処理の一例を示す図である。
【図９】本発明の一実施形態による、ベクトル・ロード即値１０進命令に付随する処理の一例を示す図である。
【図１０】クラウド・コンピューティング環境の一実施形態を示す図である。
【図１１】抽象化モデル層の一例を示す図である。
【発明を実施するための形態】
【００１９】
１つまたは複数の実施形態は、メモリから値をロードせずに値（例えば符号付きパック１０進数などの定数）を生成するための機能を提供することによって、コンピューティング環境内での処理を向上させることに関する。一例では、この機能は、値を生成するために使用される、本明細書でベクトル・ロード即値１０進命令と呼ぶ命令（例えばアーキテクテッド・マシン命令）を含む。この命令は、一例では、命令によって生成される値に符号を与えるために使用される符号制御を含む。命令は、メモリから値をロードせずに値（例えば、符号付きパック１０進数などの定数）を生成し、それによって命令レイテンシを低減するとともにコンピュータのパフォーマンスを向上させ、またはメモリ帯域幅の使用を削減し、またはバイナリ実行ファイル内のデータ・サイズを縮小し、あるいはこれらの組合せを実現する。
【００２０】
本発明の１つまたは複数の実施形態を組み込み、使用するコンピューティング環境の一例について、図１を参照しながら説明する。一例では、コンピューティング環境は、米国ニューヨーク州アーモンクのインターナショナル・ビジネス・マシーンズ・コーポレーションによって提供されるｚ／Ａｒｃｈｉｔｅｃｔｕｒｅに基づく。ｚ／Ａｒｃｈｉｔｅｃｔｕｒｅの一実施形態は、"z/Architecture Principles of Operation," IBM Publication No. SA22-7832-10, March 2015に記載されており、参照によりその全体が本明細書に組み込まれる。ｚ／ＡＲＣＨＩＴＥＣＴＵＲＥは、米国ニューヨーク州アーモンクのインターナショナル・ビジネス・マシーンズ・コーポレーションの登録商標である。
【００２１】
別の例では、コンピューティング環境は、米国ニューヨーク州アーモンクのインターナショナル・ビジネス・マシーンズ・コーポレーションによって提供されるＰｏｗｅｒ  Ａｒｃｈｉｔｅｃｔｕｒｅ（Ｒ）に基づく。Ｐｏｗｅｒ  Ａｒｃｈｉｔｅｃｔｕｒｅの一実施形態は、"Power ISATM Version 2.07B," International Business Machines Corporation, April 9, 2015に記載されており、参照によりその全体が本明細書に組み込まれる。ＰＯＷＥＲ  ＡＲＣＨＩＴＥＣＴＵＲＥは、米国ニューヨーク州アーモンクのインターナショナル・ビジネス・マシーンズ・コーポレーションの登録商標である。
【００２２】
コンピューティング環境は、Ｉｎｔｅｌ（Ｒ）ｘ８６アーキテクチャを含むがこれには限定されない他のアーキテクチャに基づいてもよい。他の例も存在する。
【００２３】
図１に示すように、コンピューティング環境１００は、例えば、多くの他の汎用または特殊目的コンピューティング・システム環境または構成とともに動作可能な、例えばコンピュータ・システム／サーバ１２を有するノード１０を含む。コンピュータ・システム／サーバ１２とともに使用するのに適合し得る周知のコンピューティング・システム、環境または構成あるいはその組合せの例としては、パーソナル・コンピュータ（ＰＣ）システム、サーバ・コンピュータ・システム、シン・クライアント、シック・クライアント、手持ち型デバイスまたはラップトップ・デバイス、マルチプロセッサ・システム、マイクロプロセッサ・ベースのシステム、セット・トップ・ボックス、プログラマブル家庭用電子機器、ネットワークＰＣ、ミニコンピュータ・システム、メインフレーム・コンピュータ・システム、および、上記のシステムまたはデバイスのうちのいずれかを含む分散クラウド・コンピューティング環境などがあるが、これらには限定されない。
【００２４】
コンピュータ・システム／サーバ１２について、コンピュータ・システムによって実行されるプログラム・モジュールなどのコンピュータ・システム実行可能命令の一般的な文脈で説明する場合がある。一般には、プログラム・モジュールは、特定のタスクを実行するか、または特定の抽象データ型を実装する、ルーチン、プログラム、オブジェクト、コンポーネント、ロジック、データ構造などを含み得る。コンピュータ・システム／サーバ１２は、通信ネットワークを介して接続されたリモート処理デバイスによってタスクが実行される分散クラウド・コンピューティング環境を含むがこれには限定されない、多くのコンピューティング環境で実施可能である。分散クラウド・コンピューティング環境では、プログラム・モジュールが、メモリ・ストレージ・デバイスを含むローカルとリモートの両方のコンピュータ・システム記憶媒体に位置することができる。
【００２５】
図１に示すように、コンピュータ・システム／サーバ１２は汎用コンピューティング・デバイスの形態で示されている。コンピュータ・システム／サーバ１２の構成要素は、１つまたは複数のプロセッサまたは処理ユニット１６と、システム・メモリ２８と、システム・メモリ２８を含む様々なシステム構成要素をプロセッサ１６に結合するバス１８とを含み得るが、これらには限定されない。
【００２６】
バス１８は、様々なバス・アーキテクチャのうちのいずれかのアーキテクチャを使用する、メモリ・バスまたはメモリ・コントローラ、ペリフェラル・バス、アクセラレーテッド・グラフィクス・ポート、およびプロセッサ・バスまたはローカル・バスを含む、数種類のバス構造のうちのいずれかの１つまたは複数に相当する。例として、そのようなアーキテクチャとしては、これらには限定されないが、業界標準アーキテクチャ（Ｉｎｄｕｓｔｒｙ  Ｓｔａｎｄａｒｄ  Ａｒｃｈｉｔｅｃｔｕｒｅ：ＩＳＡ）バス、マイクロ・チャネル・アーキテクチャ（Ｍｉｃｒｏ  Ｃｈａｎｎｅｌ  Ａｒｃｈｉｔｅｃｔｕｒｅ：ＭＣＡ）バス、拡張（Ｅｎｈａｎｃｅｄ）ＩＳＡ（ＥＩＳＡ）バス、ビデオ・エレクトロニクス・スタンダーズ・アソシエーション（Ｖｉｄｅｏ  Ｅｌｅｃｔｒｏｎｉｃｓ  Ｓｔａｎｄａｒｄｓ  Ａｓｓｏｃｉａｔｉｏｎ：ＶＥＳＡ）ローカル・バス、およびペリフェラル・コンポーネント・インターコネクト（Ｐｅｒｉｐｈｅｒａｌ  Ｃｏｍｐｏｎｅｎｔ  Ｉｎｔｅｒｃｏｎｎｅｃｔ：ＰＣＩ）バスがある。
【００２７】
コンピュータ・システム／サーバ１２は、典型的には様々なコンピュータ・システム可読媒体を含む。そのような媒体は、コンピュータ・システム／サーバ１２がアクセスすることができる任意の利用可能な媒体であってよく、揮発性媒体と不揮発性媒体の両方と、取り外し可能媒体と取り外し不能媒体とを含む。
【００２８】
システム・メモリ２８は、ランダム・アクセス・メモリ（ＲＡＭ）３０またはキャッシュ・メモリ３２あるいはその両方などの、揮発性メモリの形態のコンピュータ・システム可読媒体を含むことができる。コンピュータ・システム／サーバ１２は、他の取り外し可能／取り外し不能、揮発性／不揮発性のコンピュータ・システム記憶媒体をさらに含んでよい。一例に過ぎないが、ストレージ・システム３４を、取り外し不能な不揮発性磁気媒体（図示されておらず、一般に「ハード・ドライブ」と呼ばれる）の読み書きのために設けることができる。図示されていないが、取り外し可能な不揮発性磁気ディスク（例えば「フロッピィ・ディスク」）の読み書きのための磁気ディスク・ドライブと、ＣＤ−ＲＯＭ、ＤＶＤ−ＲＯＭまたはその他の光学媒体などの、取り外し可能な不揮発性光ディスクの読み書きのための光ディスク・ドライブとを設けることができる。そのような場合、それぞれが１つまたは複数のデータ・メディア・インターフェースによってバス１８に接続することができる。以下でさらに図示し、説明するように、メモリ２８は、本発明の実施形態の機能を実施するように構成された１組の（例えば少なくとも１つの）プログラム・モジュールを有する少なくとも１つのプログラム製品を含み得る。
【００２９】
一例として、これには限らないが、１組の（少なくとも１つの）プログラム・モジュール４２を有するプログラム／ユーティリティ４０の他、オペレーティング・システムと、１つまたは複数のアプリケーション・プログラムと、その他のプログラム・モジュールと、プログラム・データとがメモリ２８に記憶されてよい。オペレーティング・システムと、１つまたは複数のアプリケーション・プログラムと、その他のプログラム・モジュールと、プログラム・データまたはこれらの何らかの組合せとのうちのそれぞれが、ネットワーキング環境の実装形態を含み得る。プログラム・モジュール４２は、一般には、本明細書に記載の本発明の実施形態の機能または方法あるいはその両方を実施する。
【００３０】
コンピュータ・システム／サーバ１２は、キーボード、ポインティング・デバイス、ディスプレイ２４など、または、ユーザがコンピュータ・システム／サーバ１２と対話することができるようにする１つまたは複数のデバイス、または、コンピュータ・システム／サーバ１２が１つまたは複数の他のコンピューティング・デバイスと通信することができるようにする任意のデバイス（例えばネットワーク・カード、モデムなど）、あるいはその組合せなどの、１つまたは複数の外部デバイス１４とも通信することができる。このような通信は、入出力（Ｉ／Ｏ）インターフェース２２を介して行うことができる。さらに、コンピュータ・システム／サーバ１２は、ローカル・エリア・ネットワーク（ＬＡＮ）、または汎用ワイド・エリア・ネットワーク（ＷＡＮ）、またはパブリック・ネットワーク（例えばインターネット）、あるいはその組合せなどの１つまたは複数のネットワークと、ネットワーク・アダプタ２０を介して通信することができる。図のように、ネットワーク・アダプタ２０は、バス１８を介してコンピュータ・システム／サーバ１２の他の構成要素と通信する。なお、図示されていないが、他のハードウェア構成要素またはソフトウェア構成要素あるいはその両方もコンピュータ・システム／サーバ１２とともに使用することができることも理解されたい。例としては、マイクロコード、デバイス・ドライバ、冗長処理ユニット、外部ディスク・ドライブ・アレイ、ＲＡＩＤシステム、テープ・ドライブ、およびデータ・アーカイブ・ストレージ・システムなどが含まれるが、これらには限定されない。
【００３１】
一例では、プロセッサ１６は、命令を実行するために使用される複数の機能構成要素を含む。図２に示すように、これらの機能構成要素には、例えば、実行する命令をフェッチする命令フェッチ構成要素１２０と、フェッチされた命令をデコードし、デコードされた命令のオペランドを取得する命令デコード・ユニット１２２と、デコードされた命令を実行する命令実行構成要素１２４と、必要な場合に命令実行のためにメモリにアクセスするメモリ・アクセス構成要素１２６と、実行された命令の結果を提供するライト・バック構成要素１３０とが含まれる。本発明の一実施形態によると、これらの構成要素のうちの１つまたは複数の構成要素を、以下で詳述するように値（例えば、定数）１３６を生成するために使用することができる。
【００３２】
プロセッサ１６は、一実施形態では、機能構成要素のうちの１つまたは複数の機能構成要素によって使用される１つまたは複数のレジスタ１４０も含む。
【００３３】
１つまたは複数の実施形態を組み込み、使用するコンピューティング環境の別の例について、図３を参照しながら説明する。この例では、コンピューティング環境２００は、例えば、ネイティブ中央処理装置（ＣＰＵ）２０２と、メモリ２０４と、例えば１つまたは複数のバス２０８またはその他の接続機構あるいはその両方を介して互いに結合された１つまたは複数の入出力デバイスまたはインターフェース２０６あるいはその両方とを含む。例として、コンピューティング環境２００は、米国ニューヨーク州アーモンクのインターナショナル・ビジネス・マシーンズ・コーポレーションによって提供されるＰｏｗｅｒＰＣプロセッサまたはｐＳｅｒｉｅｓサーバ、または米国カリフォルニア州パロアルトのヒューレット・パッカード社によって提供される、Ｉｎｔｅｌ（Ｒ）  Ｉｔａｎｉｕｍ  ＩＩプロセッサ内蔵ＨＰ  Ｓｕｐｅｒｄｏｍｅ、または、インターナショナル・ビジネス・マシーンズ・コーポレーション、ヒューレット・パッカード、インテル、オラクルまたはその他によって提供されるアーキテクチャに基づくその他のマシン、あるいはその組合せを含んでよい。
【００３４】
ネイティブ中央処理装置２０２は、環境内での処理中に使用される、１つまたは複数の汎用レジスタまたは１つまたは複数の特殊用途レジスタあるいはその両方などの、１つまたは複数のネイティブ・レジスタ２１０を含む。これらのレジスタは、任意の特定の時点における環境の状態を表す情報を含む。
【００３５】
また、ネイティブ中央処理装置２０２は、メモリ２０４に記憶されている命令およびコードを実行する。特定の一例では、中央処理装置は、メモリ２０４に記憶されているエミュレータ・コード２１２を実行する。このコードは、１つのアーキテクチャにおいて構成されたコンピューティング環境が別のアーキテクチャをエミュレートすることができるようにする。例えば、エミュレータ・コード２１２は、ＰｏｗｅｒＰＣプロセッサ、ｐＳｅｒｉｅｓサーバ、ＨＰ  Ｓｕｐｅｒｄｏｍｅサーバまたはその他のものなど、ｚ／Ａｒｃｈｉｔｅｃｔｕｒｅ以外のアーキテクチャに基づくマシンが、ｚ／Ａｒｃｈｉｔｅｃｔｕｒｅをエミュレートし、ｚ／Ａｒｃｈｉｔｅｃｔｕｒｅに基づいて開発されたソフトウェアおよび命令を実行することができるようにする。
【００３６】
エミュレータ・コード２１２に関するさらなる詳細について、図４を参照しながら説明する。メモリ２０４に記憶されているゲスト命令２５０が、ネイティブＣＰＵ２０２のアーキテクチャ以外のアーキテクチャで実行されるように開発された（例えばマシン命令と相互に関係する）ソフトウェア命令を含む。例えば、ゲスト命令２５０は、ｚ／Ａｒｃｈｉｔｅｃｔｕｒｅプロセッサ上で実行されるように設計されていてよいが、その代わりに、例えばＩｎｔｅｌ（Ｒ）  Ｉｔａｎｉｕｍ  ＩＩプロセッサであってもよいネイティブＣＰＵ２０２上でエミュレートされる。一例では、エミュレータ・コード２１２は、メモリ２０４から１つまたは複数のゲスト命令２５０を取得し、任意選択により、取得された命令のためにローカル・バッファリングを行う命令フェッチ・ルーチン２５２を含む。また、取得されたゲスト命令の種類を決定し、そのゲスト命令を１つまたは複数の対応するネイティブ命令２５６に変換するための命令変換ルーチン２５４も含む。この変換は、例えば、ゲスト命令によって実行される機能を識別することと、その機能を実行するためにネイティブ命令を選択することとを含む。
【００３７】
また、エミュレータ２１２は、ネイティブ命令が実行されるようにするためのエミュレーション制御ルーチン２６０を含む。エミュレーション制御ルーチン２６０は、ネイティブＣＰＵ２０２に、１つまたは複数の事前に取得されたゲスト命令をエミュレートするネイティブ命令のルーチンを実行させることができ、そのような実行の終わりに、次のゲスト命令またはゲスト命令のグループの取得をエミュレートするために命令フェッチ・ルーチンに制御を戻させることができる。ネイティブ命令２５６の実行は、変換ルーチンによる決定に従って、メモリ２０４からレジスタにデータをロードすること、または、レジスタからメモリにデータを格納し戻すこと、または何らかの種類の算術演算または論理演算を実行することを含み得る。
【００３８】
各ルーチンは、例えば、メモリに記憶されたソフトウェアで実装され、ネイティブ中央処理装置２０２によって実行される。他の例では、ルーチンまたは演算のうちの１つまたは複数が、ファームウェア、ハードウェア、ソフトウェア、またはこれらの何らかの組合せで実装される。エミュレートされるプロセッサのレジスタは、ネイティブＣＰＵのレジスタ２１０を使用して、またはメモリ２０４内の場所を使用してエミュレートされてよい。いくつかの実施形態では、ゲスト命令２５０と、ネイティブ命令２５６と、エミュレータ・コード２１２とが同じメモリにあってよく、または異なるメモリ・デバイスに分散されてもよい。
【００３９】
本明細書では、ファームウェアは、例えば、プロセッサのマイクロコード、またはミリコード、またはマクロコードあるいはその組合せを含む。ファームウェアは、例えば、ハードウェア・レベルの命令、またはより高いレベルのマシン・コードの実装で使用されるデータ構造、あるいはその両方を含む。一実施形態では、ファームウェアは、例えば、典型的には、トラステッド・ソフトウェアを含むマイクロコード、または基礎となるハードウェアに固有のマイクロコードとして配布されるプロプライエタリ・コードを含み、システム・ハードウェアへのオペレーティング・システム・アクセスを制御する。
【００４０】
取得され、変換され、実行されるゲスト命令２５０は、例えば、本明細書に記載のベクトル・ロード即値１０進命令である。１つのアーキテクチャ（例えばｚ／Ａｒｃｈｉｔｅｃｔｕｒｅ）の命令であるこの命令は、メモリからフェッチされ、変換されて、別のアーキテクチャ（例えばＰｏｗｅｒＰＣ、ｐＳｅｒｉｅｓ、Ｉｎｔｅｌ（Ｒ）など）のネイティブ命令２５６のシーケンスとして表される。次に、これらのネイティブ命令が実行される。
【００４１】
本明細書では、命令のフィールドと、（ネイティブ・システムまたはエミュレートされるシステムにおける）プロセッサによる実行とを含む、ベクトル・ロード即値１０進命令の一実施形態に関する詳細について説明する。本発明の一実施形態によると、ベクトル・ロード即値１０進命令を使用して、値（例えば定数）をメモリから値をロードすることなしに生成する。これにより、定数を取得するためのメモリ・アクセスをなくして命令レイテンシを低減することによってコンピュータのパフォーマンスを向上させ、メモリ帯域幅の使用を削減し、バイナリ実行ファイル内のデータ・サイズを縮小する。したがって、本発明の実施形態は、コンピュータ技術と、コンピュータ処理の向上とに密接に結びついている。
【００４２】
一実施形態では、ベクトル・ロード即値１０進命令は、例えば１ないし１６個の要素の範囲の固定サイズ・ベクトルを提供するベクトル機能の一部である。各ベクトルは、この機能において定義されているベクトル命令によって演算が行われるデータを含む。一実施形態では、ベクトルが複数の要素からなる場合、各要素は他の要素と並列して処理される。命令の完了は、すべての要素の処理が完了するまで起こらない。他の実施形態では、要素は一部が並列に、または順次にあるいはその両方で処理される。
【００４３】
ベクトル命令は、ｚ／Ａｒｃｈｉｔｅｃｔｕｒｅ、Ｐｏｗｅｒ  Ａｒｃｈｉｔｅｃｔｕｒｅ、ｘ８６、ＩＡ−３２、ＩＡ−６４などを含むがこれらには限定されない様々なアーキテクチャの一部として実装することができる。本明細書に記載の実施形態は、ｚ／Ａｒｃｈｉｔｅｃｔｕｒｅのためのものであるが、本明細書に記載されているベクトル命令および１つまたは複数の他の態様は、多くの他のアーキテクチャに基づいてよい。ｚ／Ａｒｃｈｉｔｅｃｔｕｒｅは一例に過ぎない。
【００４４】
ベクトル機能がｚ／Ａｒｃｈｉｔｅｃｔｕｒｅの一部として実装される一実施形態では、ベクトル・レジスタおよび命令を使用するために、指定された制御レジスタ（例えば制御レジスタ０）におけるベクトル・イネーブル制御およびレジスタ制御が例えば１に設定される。ベクトル機能がインストールされており、ベクトル命令がイネーブル制御の設定なしに実行される場合、データ例外と認識される。ベクトル機能がインストールされておらず、ベクトル命令が実行される場合、演算例外と認識される。
【００４５】
一実施形態では、３２個のベクトル・レジスタがあり、他の種類のレジスタをベクトル・レジスタの象限にマッピングすることができる。例えば、レジスタ・ファイルが３２個のベクトル・レジスタを含むことができ、各レジスタは長さが１２８ビットである。長さが６４ビットの１６個の浮動小数点レジスタが、ベクトル・レジスタをオーバーレイすることができる。したがって、一例として、浮動小数点レジスタ２が変更されると、ベクトル・レジスタ２も変更される。他の種類のレジスタのための他のマッピングも可能である。
【００４６】
ベクトル・データは、記憶域において、例えば他のデータ形式と同じ左から右の順序で現れる。０ないし７の番号が付けられたデータ形式のビットが、記憶域の左端（最小番号が付けられた）バイト位置のバイトを構成し、ビット８ないし１５が次の順次位置のバイトを形成し、以下同様である。他の例では、ベクトル・データは記憶域において右から左などの別の順序で現れてもよい。
【００４７】
ベクトル・ロード即値１０進命令の一例について図５ないし図６を参照しながら説明する。図示のように、この命令は複数のフィールドを含み、１つのフィールドはそれに付けられた下付き番号を有し得る。命令のフィールドに付けられた下付き番号は、そのフィールドが適用されるオペランドを示す。例えば、ベクトル・レジスタＶ１に付けられた下付き番号１は、Ｖ１のレジスタが先頭オペランドを含むことを示し、以下同様である。レジスタ・オペランドは、例えば１２８ビットの長さの１つのレジスタである。
【００４８】
図５を参照すると、一実施形態では、ベクトル・ロード即値１０進命令３００は、ベクトル・ロード即値１０進演算を示すオペコード・フィールド３０２ａ、３０２ｂと、ベクトル・レジスタ（Ｖ１）を指示するために使用されるベクトル・レジスタ・フィールド３０４と、第１の即値フィールド（Ｉ２）３０６と、第２の即値フィールド（Ｉ３）３０８と、レジスタ拡張ビット（ＲＸＢ）フィールド３１０とを含み、それぞれについては以下で説明する。一実施形態では、これらのフィールドは別々のものであり、互いに独立している。しかし、他の実施形態では、複数のフィールドが組み合わされてもよい。これらのフィールドに関する詳細な情報について以下に記載する。
【００４９】
ベクトル・レジスタ・フィールド３０４は、第１のオペランドを格納するベクトル・レジスタを示すために使用され、第１のオペランドは、符号付きパック１０進形式の定数などの値である。一例では、ベクトル・レジスタ・フィールド３０４は、ベクトル・レジスタを指示するＲＸＢフィールド３１０とともに使用される。
【００５０】
例えば、ＲＸＢフィールド３１０は、ベクトル・レジスタ指示オペランドのための最上位ビットを含む。命令によって指定されていないレジスタ指示のためのビットは、予約されるビットであり、ゼロに設定される。最上位ビットは、例えば、ベクトル・レジスタ・フィールドの４ビットレジスタ指示の左に連結されて、５ビット・ベクトル・レジスタ指示を形成する。
【００５１】
一例では、ＲＸＢフィールドは４ビット（例えば、ビット０ないし３）を含み、これらのビットは、以下のように定義される。
０−命令の（例えばビット８ないし１１内の）先頭のベクトル・レジスタ指定のための最上位ビット。
１−もしある場合、命令の（例えばビット１２ないし１５内の）２番目のベクトル・レジスタ指定のための最上位ビット。
２−もしある場合、命令の（例えばビット１６ないし１９内の）３番目のベクトル・レジスタ指定のための最上位ビット。
３−もしある場合、命令の（例えばビット３２ないし３５内の）４番目のベクトル・レジスタ指定のための最上位ビット。
【００５２】
各ビットは、例えばアセンブラによって、レジスタ番号に応じてゼロまたは１に設定される。例えば、レジスタ０ないし１５の場合、ビットは０に設定される。レジスタ１６ないし３１の場合、ビットは１に設定される、などである。
【００５３】
一実施形態では、各ＲＸＢビットは、１つまたは複数のベクトル・レジスタを含む命令内の特定の位置のための拡張ビットである。例えば、ＲＸＢのビット０は位置８ないし１１のための拡張ビットであり、例えばＶ１に割り当てられ、以下同様である。具体的には、ベクトル・レジスタの場合、オペランドが入れられるレジスタは、例えば、最上位ビットとして対応するレジスタ拡張ビット（ＲＸＢ）が付加された、レジスタ・フィールドの４ビット・フィールドを使用して指定される。例えば、４ビット・フィールドが０１１０であり、拡張ビットが０である場合、５ビット・フィールド００１１０がレジスタ番号６を示す。他の実施形態では、ＲＸＢフィールドは追加のビットを含み、複数のビットが各ベクトルまたは位置の拡張部として使用される。
【００５４】
Ｉ２フィールド３０６は、例えばいくつかの（例えば４個の）１０進数字を有する第２のオペランドを含む。さらに、Ｉ３フィールド３０８は、複数の制御を含む第３のオペランドを含む。例えば、Ｉ３フィールド３０８は、図６に示すように以下を含む。
＊符号制御（ＳＣ）３２０：Ｉ３フィールド３０８のビット０がゼロの場合、結果は符号コード１１００を有する正である。Ｉ３フィールド３０８のビット０が１の場合、結果は符号コード１１０１を有する負である。
＊シフト量（ＳＨＡＭＴ）３３０：Ｉ３フィールド３０８のビット１ないし３は、第２のオペランドを指定された方向（例えば左）にシフトさせる桁数を指定する３ビットの符号なし２進数を指定する。
【００５５】
様々なフィールドおよびレジスタについて説明したが、本発明の１つまたは複数の実施形態は、他の、または追加の、またはより少ないフィールドまたはレジスタ、またはフィールドまたはレジスタの他のサイズなどを使用してもよい。多くの変形態様が可能である。例えば、命令の明示的に指定されたレジスタまたはフィールドの代わりに、暗黙的レジスタを使用してもよい。また、ベクトル・レジスタ以外のレジスタを使用してもよい。その場合も、他の変形態様も可能である。
【００５６】
命令の演算において、第２のオペランドの４個の１０進数字（例えば２進化１０進（ＢＣＤ）数）が、指定された桁数だけ左にシフトされ、指定された符号が右に連結され、第１のオペランドの場所に入れられた符号付きパック１０進形式の数字を形成する。
【００５７】
一例では、符号付きパック１０進形式で、１０進数字の右側の符号（Ｓ）が入る右端バイトを除く各バイトが、２個の１０進数字（Ｄ）を含む。オペランドを使用して１０進算術演算が行われ、符号付きパック１０進形式の結果を生成する。
【００５８】
１０進算術命令の符号付きパック１０進オペランドおよび結果は、例えば最大１６バイト（３１桁と符号）とすることができる。編集命令は、それぞれが符号付きパック１０進形式の可変長の１つまたは複数の１０進数から、２５６個もの１０進数字をフェッチすることができる。
【００５９】
図７を参照しながらこの命令の演算に関するさらなる詳細を説明する。一例では、図７の論理はプロセッサによって実行される。
【００６０】
図７を参照すると、最初に、ステップ４００で、本明細書で入力値と呼ぶ第２のオペランドの４個の１０進数値（例えばＢＣＤ数）が取得される。一例では、照会４０２において、第２のオペランドの数字の妥当性が検証される。数字のうちの１つまたは複数が無効な場合、処理は完了し、一例ではエラーが示されてもよい。しかし、第２のオペランドの数字が有効な場合、処理はステップ４０４に進み、命令の第３のオペランド（Ｉ３  ３０８）によって与えられるシフト量３３０と符号制御３０２とを取得する。ステップ４０６で、４桁の第２のオペランドが指定された方向（例えば左）にＩ３  ３０８で指定されたシフト量（ＳＨＡＭＴ）制御３３０によって指定された桁位置数だけシフトされて結果を得る。空いた桁位置にはゼロが埋められる。
【００６１】
他の実施形態では、シフトは右に行われるか、またはシフトの方向が命令の制御によって選択可能であるか、あるいはその両方であってよい。他の変形態様も可能である。
【００６２】
ステップ４０８で、結果（例えばシフトされた値）が、第１のオペランドの第１の指示された場所に入れられる。例えば、結果は、第１のオペランドの符号付きパック１０進形式の絶対値に入れられる。さらに、ステップ４１０で、残りの左端桁など、第１のオペランドの選択された残りの場所にゼロが入れられる。また、ステップ４１２で、結果の符号コードが第１のオペランドの第２の指示された場所に入れられる。一例として、結果の符号コードは、Ｉ３フィールドの符号制御３２０によって決定され、第１のオペランドの右側の場所に入れられる。したがって、第１のオペランドは、指定された桁数だけ左にシフトされた第２のオペランドの４個の１０進数字を含み、右に符号が連結される。
【００６３】
本明細書に記載のように、いくつかの（例えば４個の）ＢＣＤ数を取り、それらの数字をシフトして最大３１桁の数値を作成する命令が提供される。符号桁は、正または負を示す単一のビットによって制御される。これによって、広範囲な（例えば符号付きパック１０進形式の）定数を、メモリからロードする必要なしに作成することが可能になる。ＢＣＤ数における固定小数点は任意の点にあってよいため、定数は適切な場所にシフトされる。その結果の符号付きの値（例えば定数）は、多くの用途に使用される計算を含むコンピューティング環境内での処理において使用することができる。
【００６４】
コンピューティング環境内の処理において使用される値を生成する命令の実行に関するさらなる詳細について、図８ないし図９を参照しながら説明する。
【００６５】
図８を参照すると、最初に、ステップ５００で、実行のために命令が取得される。命令は、コンピューティング環境内での処理において使用される値（例えば符号付きパック１０進形式の定数）を生成するものであり、命令によって生成される値の符号を与えるために使用される関連付けられた符号制御を有する。ステップ５０２で命令が実行される。実行は、例えば、ステップ５０４で符号制御を取得することと、ステップ５０６で、命令によって提供された入力値を指定された方向（例えば左）に選択された量だけシフトさせて結果を提供することとを含む。また、実行は、ステップ５０８でレジスタ内の第１の指示された場所に結果を入れることと、ステップ５１０で、符号制御に基づいて、レジスタの第２の指示された場所に符号を含め、結果と符号とがコンピューティング環境内での処理において使用される符号付き値を提供することとを含む。
【００６６】
一例として、符号制御を取得することは、ステップ５１２で命令のフィールドから符号制御を取得することを含み、符号制御が第１の値であることに基づいて符号は正であり、符号制御が第２の値であることに基づいて符号は負である。
【００６７】
一実施形態では、実行は、ステップ５１４で命令のフィールドから入力値を取得することと、ステップ５１６で入力値の妥当性を検証することと、ステップ５１８で、検証が入力値が有効であることを示すことに基づいてシフトを実行することとをさらに含む。さらに他の実施形態では、実行は、ステップ５２０で命令のフィールドから選択された量を取得することをさらに含む。
【００６８】
例として、第１の指示された場所は、レジスタ内の符号付きパック１０進形式の絶対値の場所であり５３０（図９）、レジスタは命令の少なくとも１つのフィールドを使用して指定され５３２、少なくとも１つのフィールドは、レジスタ番号を指定するレジスタ・フィールドと、レジスタ番号に付加される拡張値を指定する拡張フィールドとを含む５３４。
【００６９】
一実施形態では結果を入れることは、ステップ５３６で、レジスタの第３の指示された場所にゼロを入れることをさらに含み、第３の指示された場所はレジスタの１つまたは複数の左端位置を含む。
【００７０】
本明細書では、コンピュータの処理およびパフォーマンスを改良するために、値（例えば定数）をメモリから値をロードせずに生成する例えばアーキテクテッド命令を使用するための機能について記載している。様々な例が示されているが、特許請求対象の態様の思想から逸脱することなく変形態様も可能である。
【００７１】
１つまたは複数の態様は、クラウド・コンピューティングに関し得る。
【００７２】
なお、本開示はクラウド・コンピューティングの詳細な説明を含むが、本明細書に記載されている教示の実装がクラウド・コンピューティング環境に限定されないことは前もって理解される。むしろ、本発明の実施形態は、現在知られている、または今後開発される任意の他の種類のコンピューティング環境とともに実装することができる。
【００７３】
クラウド・コンピューティングは、最小限の管理労力またはサービスのプロバイダとの対話で迅速にプロビジョニングすることができ、解放することができる、構成可能コンピューティング資源（例えば、ネットワーク、ネットワーク帯域幅、サーバ、処理、メモリ、ストレージ、アプリケーション、仮想マシン、およびサービス）の共用プールへの便利なオンデマンドのネットワーク・アクセスを可能にするサービス配布のモデルである。このクラウド・モデルは、少なくとも５つの特徴と、少なくとも３つのサービス・モデルと、少なくとも４つの配備モデルとを含み得る。
【００７４】
特徴は以下の通りである。
オンデマンド・セルフサービス：クラウド消費者は、サービス・プロバイダとの間で人間の対話を必要とせずに、必要に応じて自動的に、サーバ時間およびネットワーク・ストレージなどのコンピューティング機能を一方的にプロビジョニングすることができる。
広帯域ネットワーク・アクセス：ネットワークを介して機能が利用可能であり、異種のシン・クライアントまたはシック・クライアント・プラットフォーム（例えば携帯電話、ラップトップ、およびＰＤＡ）による使用を促進する標準機構を介してアクセスすることができる。
資源プール：マルチテナント・モデルを使用して複数の消費者にサービスするために、プロバイダのコンピューティング資源がプールされ、需要に応じて異なる物理資源および仮想資源が動的に割り当てられ、再割り当てされる。消費者は一般に、提供される資源の厳密な場所について制御することができないかまたは知らないが、より高い抽象レベルの場所（例えば、国、州、またはデータセンター）を指定し得るという点で、位置独立感がある。
迅速な伸縮性：迅速かつ伸縮性をもって、場合によっては自動的に機能をプロビジョニングして、迅速にスケールアウトすることができ、また、迅速に機能を解放してスケールインすることができる。消費者にとっては、プロビジョニングのために利用可能な機能はしばしば無限であるように見え、いつでも好きなだけ購入することができる。
従量制サービス：クラウド・システムが、サービスの種類（例えば、ストレージ、処理、帯域幅、およびアクティブ・ユーザ・アカウント）に応じて適切な何らかの抽象化レベルの計量機能を活用することによって、資源利用を自動的に制御し、最適化する。資源使用量を監視、制御および報告することができ、利用されたサービスのプロバイダと消費者の両方に透明性を与えることができる。
【００７５】
サービス・モデルは以下の通りである。
ソフトウェア・アズ・ア・サービス（Ｓｏｆｔｗａｒｅ  ａｓ  ａ  Ｓｅｒｖｉｃｅ：ＳａａＳ）：消費者に提供される機能は、クラウド・インフラストラクチャ上で稼働するプロバイダのアプリケーションを使用することである。アプリケーションには、ウェブ・ブラウザなどのシン・クライアント・インターフェースを介して様々なクライアント・デバイスからアクセス可能である（例えばウェブ・ベースのＥメール）。消費者は、限られたユーザ固有アプリケーション構成設定の考えられる例外を除き、ネットワーク、サーバ、オペレーティング・システム、ストレージ、または個別のアプリケーション機能まで含めて、基礎にあるクラウド・インフラストラクチャを管理または制御しない。
プラットフォーム・アズ・ア・サービス（Ｐｌａｔｆｏｒｍ  ａｓ  ａ  Ｓｅｒｖｉｃｅ：ＰａａＳ）：消費者に提供される機能は、クラウド・インフラストラクチャ上に、消費者作成アプリケーション、またはプロバイダによってサポートされるプログラミング言語およびツールを使用して作成された取得アプリケーションを配備することである。消費者は、ネットワーク、サーバ、オペレーティング・システム、またはストレージを含む、基礎にあるクラウド・インフラストラクチャを管理または制御しないが、配備されたアプリケーションと、場合によってはアプリケーション・ホスティング環境構成とを制御することができる。
インフラストラクチャ・アズ・ア・サービス（Ｉｎｆｒａｓｔｒｕｃｔｕｒｅ  ａｓ  ａ  Ｓｅｒｖｉｃｅ：ＩａａＳ）：消費者に提供される機能は、処理、ストレージ、ネットワークおよびその他の基本的コンピューティング資源をプロビジョニングすることであり、その際、消費者は、オペレーティング・システムおよびアプリケーションを含み得る任意のソフトウェアを配備し、稼働させることができる。消費者は、基礎にあるクラウド・インフラストラクチャを管理または制御しないが、オペレーティング・システムと、ストレージと、配備されたアプリケーションとを制御することができ、場合によっては選択されたネットワーク・コンポーネント（例えばホスト・ファイアウォール）の限定的な制御を行うことができる。
【００７６】
配備モデルは以下の通りである。
プライベート・クラウド：このクラウド・インフラストラクチャは、組織のためにのみ運用される。組織または第三者によって管理されることができ、オンプレミスまたはオフプレミスに存在してよい。
コミュニティ・クラウド：このクラウド・インフラストラクチャは、いくつかの組織によって共用され、共通の関心事（例えば、任務、セキュリティ要件、ポリシー、およびコンプライアンス事項）を有する特定のコミュニティをサポートする。組織または第三者によって管理されてよく、オンプレミスまたはオフプレミスに存在してよい。
パブリック・クラウド：このクラウド・インフラストラクチャは、公衆または大規模業界団体が利用することができ、クラウド・サービスを販売する組織によって所有される。
ハイブリッド・クラウド：このクラウド・インフラストラクチャは、独自の実体のままであるが、データ可搬性またはアプリケーション可搬性を可能にする標準化技術または専有技術（例えば、クラウド間の負荷バランシングのためのクラウド・バースティング）によって結合された、２つ以上のクラウド（プライベート、コミュニティまたはパブリック）の複合体である。
【００７７】
クラウド・コンピューティング環境は、ステートレス性、疎結合性、モジュール性、および意味的相互運用性に焦点を合わせたサービス指向型である。クラウド・コンピューティングの核心にあるのは、相互接続されたノードのネットワークを含むインフラストラクチャである。そのような１つのノードは、図１に示されているノード１０である。
【００７８】
コンピューティング・ノード１０は、適合するクラウド・コンピューティング・ノードの一例に過ぎず、本明細書に記載の本発明の実施形態の使用または機能の範囲に関するいかなる限定も示唆することを意図していない。いずれにしても、クラウド・コンピューティング・ノード１０は、上述の機能のいずれの実装または実行あるいはその両方が可能である。
【００７９】
図１０を参照すると、例示のクラウド・コンピューティング環境５０が図示されている。図のように、クラウド・コンピューティング環境５０は、例えばパーソナル・デジタル・アシスタント（ＰＤＡ）または携帯電話５４Ａ、デスクトップ・コンピュータ５４Ｂ、ラップトップ・コンピュータ５４Ｃ、または自動車コンピュータ・システム５４Ｎあるいはその組合せなど、クラウド消費者によって使用されるローカル・コンピューティング・デバイスが通信することができる、１つまたは複数のコンピューティング・ノード１０を含む。ノード１０が互いに通信してもよい。これらは、上述のプライベート、コミュニティ、パブリックまたはハイブリッド・クラウドまたはこれらの組合せなどの１つまたは複数のネットワークにおいて物理的または仮想的にグループ化（図示せず）されてよい。これによって、クラウド・コンピューティング環境５０は、インフラストラクチャ、プラットフォーム、またはソフトウェアあるいはその組合せを、クラウド消費者がそのためにローカル・コンピューティング・デバイス上で資源を維持する必要がないサービスとして提供することができる。なお、図１０に示すコンピューティング・デバイス５４Ａないし５４Ｎの種類は、例示のみを意図したものであり、コンピューティング・ノード１０およびクラウド・コンピューティング環境５０は、（例えばウェブ・ブラウザを使用して）任意の種類のネットワークまたはネットワーク・アドレス指定可能接続あるいはその両方を介して、任意の種類のコンピュータ化デバイスと通信することができるものと理解される。
【００８０】
次に、図１１を参照すると、クラウド・コンピューティング環境５０（図１０）によって提供される１組の機能抽象化層が示されている。なお、図１１に示す構成要素、層および機能は、例示のみを意図したものであり、本発明の実施形態はこれらには限定されないことを前もって理解されたい。図のように、以下の層および対応する機能が提供される。
ハードウェアおよびソフトウェア層６０は、ハードウェア構成要素とソフトウェア構成要素とを含む。ハードウェア構成要素の例としては、メインフレーム６１、縮小命令セットコンピュータ（Ｒｅｄｕｃｅｄ  Ｉｎｓｔｒｕｃｔｉｏｎ  Ｓｅｔ  Ｃｏｍｐｕｔｅｒ：ＲＩＳＣ）アーキテクチャ・ベースのサーバ６２、サーバ６３、ブレード・サーバ６４、ストレージ・デバイス６５、およびネットワークおよびネットワーキング構成要素６６がある。実施形態によっては、ソフトウェア構成要素は、ネットワーク・アプリケーション・サーバ・ソフトウェア６７およびデータベース・ソフトウェア６８を含む。
仮想化層７０は、以下の仮想実体の例を与えることができる抽象化層を提供する。すなわち、仮想サーバ７１、仮想ストレージ７２、仮想プライベート・ネットワークを含む仮想ネットワーク７３、仮想アプリケーションおよびオペレーティング・システム７４、および仮想クライアント７５である。
【００８１】
一例では管理層８０は、以下に記載の機能を提供することができる。資源プロビジョニング８１は、クラウド・コンピューティング環境内でタスクを実行するために利用されるコンピューティング資源およびその他の資源の動的調達を行う。メータリングおよびプライシング８２は、クラウド・コンピューティング環境内で資源が利用されるときのコスト追跡と、これらの資源の消費に対する対価の請求またはインボイス処理を行う。一例ではこれらの資源にはアプリケーション・ソフトウェア・ライセンスが含まれてもよい。セキュリティは、クラウド消費者およびタスクのための本人検証と、データおよびその他の資源の保護とを行う。ユーザ・ポータル８３は、消費者およびシステム管理者にクラウド・コンピューティング環境へのアクセスを提供する。サービス・レベル管理８４は、必要なサービス・レベルが満たされるようにクラウド・コンピューティング資源割り当ておよび管理を行う。サービス・レベル・アグリーメント（Ｓｅｒｖｉｃｅ  Ｌｅｖｅｌ  Ａｇｒｅｅｍｅｎｔ：ＳＬＡ）計画および履行８５は、ＳＬＡに従って将来の要求が予想されるクラウド・コンピューティング資源のための事前取り決めおよび調達を行う。
【００８２】
ワークロード層９０は、クラウド・コンピューティング環境をそのために利用することができる機能の例を提供する。この層から提供され得るワークロードおよび機能の例には、マッピングおよびナビゲーション９１、ソフトウェア開発およびライフサイクル管理９２、仮想教室教育配信９３、データ分析処理９４、トランザクション処理９５、および命令処理９６がある。
【００８３】
本発明は、任意の可能な技術的詳細の統合レベルでのシステム、方法またはコンピュータ・プログラム製品あるいはその組合せとすることができる。コンピュータ・プログラム製品は、プロセッサに本発明の態様を実施させるためのコンピュータ可読プログラム命令が記憶されたコンピュータ可読記憶媒体（または複数の媒体）を含み得る。
【００８４】
コンピュータ可読記憶媒体は、命令実行デバイスによって使用されるための命令を保持し、記憶することができる有形デバイスとすることができる。コンピュータ可読記憶媒体は、例えば、電子ストレージ・デバイス、磁気ストレージ・デバイス、光学ストレージ・デバイス、電磁気ストレージ・デバイス、半導体ストレージ・デバイス、またはこれらの任意の適合する組合せであってよいが、これらには限定されない。コンピュータ可読記憶媒体のより具体的な例の非網羅的なリストには以下のものが含まれる。すなわち、可搬コンピュータ・ディスケット、ハード・ディスク、ランダム・アクセス・メモリ（ＲＡＭ）、読み取り専用メモリ（ＲＯＭ）、消去可能プログラマブル読み取り専用メモリ（ＥＰＲＯＭまたはフラッシュ・メモリ）、スタティック・ランダム・アクセス・メモリ（ＳＲＡＭ）、可搬コンパクト・ディスク読み取り専用メモリ（ＣＤ−ＲＯＭ）、デジタル多用途ディスク（ＤＶＤ）、メモリ・スティック、フロッピィ・ディスク、パンチカードまたは命令が記録された溝内の隆起構造などの機械的に符号化されたデバイス、およびこれらの任意の適合する組合せが含まれる。本明細書で使用されるコンピュータ可読記憶媒体とは、電波またはその他の自由に伝播する電磁波、導波路またはその他の伝送媒体を伝播する電磁波（例えば光ファイバ・ケーブルを通る光パルス）、または電線を介して伝送される電気信号などの、一時的な信号自体であると解釈すべきではない。
【００８５】
本明細書に記載のコンピュータ可読プログラム命令は、コンピュータ可読記憶媒体からそれぞれのコンピューティング／処理デバイスに、または、ネットワーク、例えばインターネット、ローカル・エリア・ネットワーク、ワイド・エリア・ネットワーク、または無線ネットワークあるいはこれらの組合せを介して外部コンピュータまたは外部記憶デバイスにダウンロードすることができる。ネットワークは、銅伝送ケーブル、光伝送ファイバ、無線伝送、ルータ、ファイアウォール、交換機、ゲートウェイ・コンピュータ、またはエッジ・サーバあるいはこれらの組合せを含んでよい。各コンピューティング／処理デバイスにおけるネットワーク・アダプタ・カードまたはネットワーク・インターフェースが、ネットワークからコンピュータ可読プログラム命令を受信し、それらのコンピュータ可読プログラム命令を、それぞれのコンピューティング／処理デバイス内のコンピュータ可読記憶媒体への記憶のために転送する。
【００８６】
本発明の動作を実行するためのコンピュータ可読プログラム命令は、アセンブラ命令、インストラクション・セット・アーキテクチャ（ＩＳＡ）命令、マシン命令、機械依存命令、マイクロコード、ファームウェア命令、状態設定データ、集積回路のための構成データ、または、Ｓｍａｌｌｔａｌｋ（Ｒ）、Ｃ＋＋などのオブジェクト指向プログラミング言語および「Ｃ」プログラミング言語または同様のプログラム言語などの手続き型プログラミング言語を含む１つまたは複数のプログラミング言語の任意の組合せで書かれたソース・コードまたはオブジェクト・コードとすることができる。コンピュータ可読プログラム命令は、スタンドアロン・ソフトウェア・パッケージとして全体がユーザのコンピュータ上で、あるいは一部がユーザのコンピュータ上で、または一部がユーザのコンピュータ上で一部がリモート・コンピュータ上で、または全体がコンピュータあるいはサーバ上で実行されてよい。後者の場合、リモート・コンピュータは、ローカル・エリア・ネットワーク（ＬＡＮ）またはワイド・エリア・ネットワーク（ＷＡＮ）を含む、任意の種類のネットワークを介してユーザのコンピュータに接続することができ、または接続は外部コンピュータ（例えば、インターネット・サービス・プロバイダを使用してインターネットを介して）に対して行ってもよい。実施形態によっては、本発明の態様を実行するために、例えばプログラマブル・ロジック回路、フィールド・プログラマブル・ゲート・アレイ（ＦＰＧＡ）、またはプログラマブル・ロジック・アレイ（ＰＬＡ）を含む電子回路が、コンピュータ可読プログラム命令の状態情報を使用して電子回路をパーソナライズすることにより、コンピュータ可読プログラム命令を実行することができる。
【００８７】
本発明の態様について、本発明の実施形態による方法、装置（システム）、およびコンピュータ・プログラム製品を示すフローチャート図またはブロック図あるいはその両方を参照しながら本明細書において説明している。フローチャート図またはブロック図あるいはその両方の図の各ブロックおよび、フローチャート図またはブロック図あるいはその両方の図のブロックの組合せは、コンピュータ可読プログラム命令によって実装可能であることはわかるであろう。
【００８８】
上記のコンピュータ可読プログラム命令は、コンピュータまたはその他のプログラマブル・データ処理装置のプロセッサを介して実行される命令が、フローチャートまたはブロック図あるいはその両方の１つまたは複数のブロックで規定されている機能／動作を実装する手段を形成するように、汎用コンピュータ、特殊目的コンピュータ、またはその他のプログラマブル・データ処理装置のプロセッサに供給されて、マシンを実現するものであってよい。これらのコンピュータ可読プログラム命令は、命令が記憶されたコンピュータ可読記憶媒体が、フローチャートまたはブロック図あるいはその両方の１つまたは複数のブロックで規定されている機能／動作の態様を実装する命令を含む製造品を含むように、コンピュータ可読媒体に記憶され、コンピュータ、プログラマブル・データ処理装置、またはその他のデバイスあるいはこれらの組合せに対して特定の方式で機能するように指示することができるものであってもよい。
【００８９】
コンピュータ可読プログラム命令は、コンピュータ、その他のプログラマブル装置またはその他のデバイス上で実行される命令がフローチャートまたはブロック図あるいはその両方の１つまたは複数のブロックで規定されている機能／動作を実装するようにコンピュータ実装処理を提供するために、コンピュータ、その他のプログラマブル・データ処理装置、またはその他のデバイスにロードされ、コンピュータ、その他のプログラマブル装置、またはその他のデバイス上で一連の動作ステップを実行させるものであってもよい。
【００９０】
図面中のフローチャートおよびブロック図は、本発明の様々な実施形態によるシステム、方法およびコンピュータ・プログラム製品の可能な実装形態のアーキテクチャ、機能および動作を示す。なお、フローチャートまたはブロック図の各ブロックは、規定されている論理機能を実装するための１つまたは複数の実行可能命令を含む、命令のモジュール、セグメント、または部分を表すことがある。いくつかの代替の実装形態では、ブロックに記載されている機能は、図に記載されている順序とは異なる順序で行われてもよい。例えば、連続して示されている２つのブロックは、関与する機能に応じて、実際には実質的に同時に実行されてよく、またはそれらのブロックは場合によっては逆の順序で実行されてもよい。また、ブロック図またはフローチャート図あるいはその両方の図の各ブロック、およびブロック図またはフローチャート図あるいはその両方の図のブロックの組合せは、規定されている機能または動作を実行する特殊目的ハードウェア・ベースのシステムによって実装されるか、または特殊目的ハードウェアとコンピュータ命令との組合せを実施することができることに留意されるだろう。
【００９１】
上記に加えて、１つまたは複数の態様は、顧客環境の管理を提供するサービス・プロバイダによって、供給、提供、配備、管理、保守などが行われてよい。例えば、サービス・プロバイダは、１または複数の顧客のために１つまたは複数の態様を実行するコンピュータ・コードまたはコンピュータ・インフラストラクチャあるいはその両方の作成、維持、サポートなどを行うことができる。その見返りとして、サービス・プロバイダは、例えば会員登録または委託契約あるいはその両方に基づいて顧客から支払いを受け取ってもよい。これに加えて、またはこれに代えて、サービス・プロバイダは、１つまたは複数の第三者に対する広告コンテンツの販売による支払いを受け取ってもよい。
【００９２】
一態様では、１つまたは複数の実施形態を実行するためにアプリケーションが配備されてもよい。一例として、アプリケーションの配備は、１つまたは複数の実施形態を実行するように動作可能なコンピュータ命令を提供することを含む。
【００９３】
他の態様として、コンピューティング・システムにコンピュータ可読コードを組み込むことを含むコンピューティング・インフラストラクチャが配備されてもよく、コードはコンピューティング・システムと組み合わさって１つまたは複数の実施形態を実行することができる。
【００９４】
さらに他の態様として、コンピュータ可読コードをコンピュータ・システムに組み込むことを含む、コンピューティング・インフラストラクチャを組み込むためのプロセスを提供することができる。コンピュータ・システムは、コンピュータ可読媒体を含み、コンピュータ媒体は１つまたは複数の実施形態を含む。コードはコンピュータ・システムと組み合わさって１つまたは複数の実施形態を実行することができる。
【００９５】
以上、様々な実施形態について説明したが、これらは例に過ぎない。例えば、１つまたは複数の実施形態を組み込み、使用するために、他のアーキテクチャのコンピューティング環境を使用することができる。また、異なる命令、命令形式、命令フィールドまたは命令値あるいはその組合せを使用してもよい。多くの変形態様が可能である。
【００９６】
また、他の種類のコンピューティング環境も利益を得ることができ、使用することができる。一例として、システム・バスによってメモリ要素に直接または間接的に結合された少なくとも２つのプロセッサを含む、プログラム・コードを記憶または実行あるいはその両方を行うのに適合するデータ処理システムが使用可能である。メモリ要素は、例えば、プログラム・コードの実際の実行中に使用されるローカル・メモリと、大容量ストレージと、実行時に大容量ストレージからコードを取り出す必要がある回数を削減するために少なくとも一部のプログラム・コードの一時的記憶を提供するキャッシュ・メモリとを含む。
【００９７】
入出力またはＩ／Ｏデバイス（キーボード、ディスプレイ、ポインティング・デバイス、ＤＡＳＤ、テープ、ＣＤ、ＤＶＤ、サム・ドライブ、およびその他のメモリ媒体などを含むがこれらには限定されない）を、直接、または介在するＩ／Ｏコントローラを介してシステムに結合することができる。データ処理システムが、介在するプライベート・ネットワークまたはパブリック・ネットワークを介して他のデータ処理システムまたはリモート・プリンタまたはストレージ・デバイスに結合されることができるようにするために、ネットワーク・アダプタもシステムに結合することができる。モデム、ケーブル・モデム、およびＥｔｈｅｒｎｅｔカードが、利用可能な種類のネットワーク・アダプタのほんの一例である。
【００９８】
本明細書で使用されている用語は、特定の実施形態を説明することのみを目的としたものであり、限定的であることを意図したものではない。本明細書で使用されている単数形の「ａ」、「ａｎ」および「ｔｈｅ」は、文脈が明確に他の解釈を示していない限り複数形も含むことを意図している。また、「含んでいる（ｃｏｍｐｒｉｓｅｓ）」または「含む（ｃｏｍｐｒｉｓｉｎｇ）」あるいはその両方の用語が本明細書で使用されている場合、記載されている特徴、整数、ステップ、動作、要素または構成要素あるいはその組合せの存在を規定するが、１つまたは複数の他の特徴、整数、ステップ、動作、要素または構成要素あるいはこれらのグループの存在または追加を排除しないことを理解されたい。
【００９９】
添付の特許請求の範囲のすべてのミーンズまたはステップ・プラス・ファンクション要素の対応する構造、材料、動作および均等物は、もしある場合、具体的に特許請求されている他の特許請求対象要素と組み合わせて機能を実行するための任意の構造、材料または動作を含むことを意図している。例示および説明を目的として１つまたは複数の実施形態の説明を示したが、網羅的であること、または、開示されている形態に限定することを意図したものではない。当業者には多くの変更および変形態様が明らかであろう。これらの実施形態は、様々な態様および実際の適用を最もよく説明するためと、当業者が、企図された特定の用途に適合するように様々な変更を加えた様々な実施形態を理解することができるようにするために選択し、説明した。
【図１】
2019530093.tif 000003
【図２】
2019530093.tif 000004
【図３】
2019530093.tif 000005
【図４】
2019530093.tif 000006
【図５】
2019530093.tif 000007
【図６】
2019530093.tif 000008
【図７】
2019530093.tif 000009
【図８】
2019530093.tif 000010
【図９】
2019530093.tif 000011
【図１０】
2019530093.tif 000012
【図１１】
2019530093.tif 000013
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
コンピューティング環境内での処理を容易にするためのコンピュータ・プログラムであって、
処理回路に、
前記コンピューティング環境内での処理において使用するための値を生成する命令であり、前記命令によって生成される前記値の符号を与えるために使用される関連付けられた符号制御を有する、前記命令を、実行のために取得することと、
前記命令を実行することと、を実行させるためのプログラムであって、前記実行は、
前記符号制御を取得することと、
前記命令によって提供された入力値を指定された方向に選択された量だけシフトして結果を提供することと、
レジスタ内の第１の指示された場所に前記結果を入れることと、
前記符号制御に基づいて、前記符号を前記レジスタの第２の指示された場所に含めることと、を含み、前記結果と前記符号とは、前記コンピューティング環境内での処理において使用される符号付き値を提供する、コンピュータ・プログラム。
【請求項２】
前記符号制御を取得することは、前記命令のフィールドから前記符号制御を取得することを含み、前記符号制御が第１の値であることに基づいて前記符号は正であり、前記符号制御が第２の値であることに基づいて前記符号は負である、請求項１に記載のコンピュータ・プログラム。
【請求項３】
前記実行は、
前記命令のフィールドから前記入力値を取得することと、
前記入力値の妥当性を検証することと、
前記検証が前記入力値が有効であることを示すことに基づいて前記シフトを実行することと
をさらに含む、請求項１に記載のコンピュータ・プログラム。
【請求項４】
前記指定された方向は左である、請求項１に記載のコンピュータ・プログラム。
【請求項５】
前記実行は、前記命令のフィールドから前記選択された量を取得することをさらに含む、請求項１に記載のコンピュータ・プログラム。
【請求項６】
前記第１の指示された場所は、前記レジスタ内の符号付きパック１０進形式の絶対値の場所である、請求項１に記載のコンピュータ・プログラム。
【請求項７】
前記レジスタは前記命令の少なくとも１つのフィールドを使用して指定される、請求項１に記載のコンピュータ・プログラム。
【請求項８】
前記少なくとも１つのフィールドは、レジスタ番号を指定するレジスタ・フィールドと、前記レジスタ番号に付加される拡張値を指定する拡張フィールドとを含む、請求項７に記載のコンピュータ・プログラム。
【請求項９】
前記結果を入れることは、前記レジスタの第３の指示された場所にゼロを入れることをさらに含む、請求項１に記載のコンピュータ・プログラム。
【請求項１０】
前記第３の指示された場所は、前記レジスタの１つまたは複数の左端位置を含む、請求項９に記載のコンピュータ・プログラム。
【請求項１１】
コンピューティング環境内での処理を容易にするためのコンピュータ・システムであって、
メモリと、
前記メモリと通信するプロセッサと、を含み、前記コンピュータ・システムは、方法を実行するように構成されており、前記方法は、
前記コンピューティング環境内での処理において使用するための値を生成する命令であり、前記命令によって生成される前記値の符号を与えるために使用される関連付けられた符号制御を有する、前記命令を、実行のために取得することと、
前記命令を実行することと、を含み、前記実行は、
前記符号制御を取得することと、
前記命令によって提供された入力値を指定された方向に選択された量だけシフトして結果を提供することと、
レジスタ内の第１の指示された場所に前記結果を入れることと、
前記符号制御に基づいて、前記符号を前記レジスタの第２の指示された場所に含めることと、を含み、前記結果と前記符号とは、前記コンピューティング環境内での処理において使用される符号付き値を提供する、コンピュータ・システム。
【請求項１２】
コンピューティング環境内での処理を容易にするためのコンピュータ実装方法であって、
前記コンピューティング環境内での処理において使用するための値を生成する命令であり、前記命令によって生成される前記値の符号を与えるために使用される関連付けられた符号制御を有する、前記命令を、実行のためにプロセッサによって取得することと、
前記命令を実行することと、を含み、前記実行は、
前記符号制御を取得することと、
前記命令によって提供された入力値を指定された方向に選択された量だけシフトして結果を提供することと、
レジスタ内の第１の指示された場所に前記結果を入れることと、
前記符号制御に基づいて、前記符号を前記レジスタの第２の指示された場所に含めることと、を含み、前記結果と前記符号とは、前記コンピューティング環境内での処理において使用される符号付き値を提供する、コンピュータ実装方法。
【国際調査報告】
2019530093.tif 000014
2019530093.tif 000015